(57)【要約】【課題】１台のズーム機能付きカメラで、ズーム箇所が全体の風景中のどの箇所に位置するかを簡易な構成でユーザが知ることができる機能を提供するカメラ装置および記録フォーマットを提供する。【解決手段】信号処理部１０３は、レンズ部１０１を通して撮像素子部１０２により取得した画像信号に信号処理を施し第１の画像データを出力する。画像処理手段Ａ１０５は、制御部１１２により指定された拡大率に応じて、第１の画像データに対して拡大処理を施すことにより、第２の画像データを生成する。画像処理部Ｂ１０７は、第１の画像データと第２の画像データの少なくとも一方に対して画像処理を施して第３の画像データを生成し出力する。【選択図】図１
2007221295.tif 000002
【特許請求の範囲】
【請求項１】
撮像素子により取得した画像信号に信号処理を施し、第１の画像データを出力する信号処理手段と、
前記第１の画像データに対する拡大率を指定する制御手段と、
前記拡大率に応じて前記第１の画像データに対して拡大処理を施すことにより、第２の画像データを生成し出力する第１の画像処理手段と、
前記第１の画像データと前記第２の画像データの少なくとも一方に対して画像処理を施して第３の画像データを生成し出力する第２の画像処理手段とを具備する
ことを特徴とするカメラ装置。
【請求項２】
前記第２の画像処理手段は、前記第１の画像データに前記拡大率に応じた枠画像を重畳することにより、前記第３の画像データを生成する
ことを特徴とする請求項１記載のカメラ装置。
【請求項３】
前記第２の画像処理手段は、前記第１の画像データと前記第２の画像データとのいずれか一方の画像データを縮小して縮小画像データを生成し、前記縮小画像データを他方の画像データに重畳することにより、前記第３の画像データを生成する
ことを特徴とする請求項１記載のカメラ装置。
【請求項４】
前記第２の画像処理手段は、前記第１の画像データと前記第２の画像データとを合成することにより、前記第３の画像データを生成する
ことを特徴とする請求項１記載のカメラ装置。
【請求項５】
前記第２の画像処理手段は、複数の画像処理方法により前記第３の画像データを生成する処理能力を有し、
前記制御手段は、前記第２の画像処理手段が、前記複数の画像処理方法のいずれを用いて前記第３の画像データを生成するかを指定する
ことを特徴とする請求項１記載のカメラ装置。
【請求項６】
前記第２の画像処理手段は、複数の画像処理方法により前記第３の画像データを生成する処理能力を有し、
前記制御手段は、前記第２の画像処理手段に対して表示切り替え命令を出力し、
前記第２の画像処理手段は、前記表示切り替え命令が入力される度に、前記複数の画像処理方法を所定の順序で切り替えて前記第３の画像データを生成する
ことを特徴とする請求項１記載のカメラ装置。
【請求項７】
さらに記録媒体に画像データを記録するためのフォーマット変換処理等を施す記録処理部とを具備し、
前記記録処理部は、前記第１の画像データと、前記第２の画像データと、前記第３の画像データとのうちの少なくとも２つの画像データを前記記録媒体に記録する
ことを特徴とする請求項１記載のカメラ装置。
【請求項８】
前記記録処理部は、前記記録媒体に記録した前記少なくとも２つの画像データが、関連する画像データであることを示す情報をさらに前記記録媒体に記録する
ことを特徴とする請求項７記載のカメラ装置。
【請求項９】
撮像素子により取得した画像信号に信号処理を施し、第１の画像データを出力する信号処理手段と、
前記第１の画像データに対する拡大率を指定する制御手段と、
前記拡大率に応じて前記第１の画像データに対して拡大処理を施すことにより、第２の画像データを生成し出力する第１の画像処理手段と、
前記第１の画像データと前記第２の画像データの少なくとも一方に対して画像処理を施して第３の画像データを生成し出力する第２の画像処理手段と、
記録媒体に画像データを記録するためのフォーマット変換処理等を施す記録処理部とを具備するカメラ装置において、前記記録処理部が、前記第１の画像データと、前記第２の画像データと、前記第３の画像データとのうちの少なくとも２つの画像データを前記記録媒体に記録する際に用いる記録フォーマットであって、
前記記録フォーマットは管理情報部とデータ部とから構成され、前記データ部には前記少なくとも２つの画像データが記録され、前記管理情報部には前記データ部に記録した前記少なくとも２つの画像データが関連する画像データであることを示す情報を記録するフォーマットである
ことを特徴とする記録フォーマット。
【請求項１０】
撮像素子により取得した画像信号に信号処理を施し、第１の画像データを出力する信号処理手段と、
前記第１の画像データに対する拡大率を指定する制御手段と、
前記拡大率に応じて前記第１の画像データに対して拡大処理を施すことにより、第２の画像データを生成し出力する第１の画像処理手段と、
前記第１の画像データと前記第２の画像データの少なくとも一方に対して画像処理を施して第３の画像データを生成し出力する第２の画像処理手段と、
記録媒体に画像データを記録するためのフォーマット変換処理等を施す記録処理部とを具備するカメラ装置において、前記記録処理部が、前記第１の画像データと、前記第２の画像データと、前記第３の画像データとのうちの少なくとも２つの画像データを前記記録媒体に記録する際に用いる記録フォーマットであって、
前記記録フォーマットは管理情報部とデータ部とから構成され、前記データ部には前記少なくとも２つの画像データが記録され、前記少なくとも２つの画像データのうちの１つの画像データのヘッダ部に、他の画像データと関連があることを示す情報を記録するフォーマットである
ことを特徴とする記録フォーマット。
【請求項１１】
撮像素子により取得した画像信号に信号処理を施し、第１の画像データを出力する信号処理手段と、
前記第１の画像データに対する拡大率を指定する制御手段と、
前記拡大率に応じて前記第１の画像データに対して拡大処理を施すことにより、第２の画像データを生成し出力する第１の画像処理手段と、
前記第１の画像データと前記第２の画像データの少なくとも一方に対して画像処理を施して第３の画像データを生成し出力する第２の画像処理手段とを具備する
ことを特徴とする半導体装置。
【請求項１２】
コンピュータにより、請求項１記載のカメラ装置の処理を行うためのプログラムであって、
上記プログラムはコンピュータに、
撮像素子により取得した画像信号に信号処理を施し、第１の画像データを出力する信号処理と、
前記第１の画像データに対する拡大率を指定する制御処理と、
前記拡大率に応じて前記第１の画像データに対して拡大処理を施すことにより、第２の画像データを生成し出力する第１の画像処理と、
前記第１の画像データと前記第２の画像データの少なくとも一方に対して画像処理を施して第３の画像データを生成し出力する第２の画像処理と
を、行わせるものであることを特徴とするプログラム。
【発明の詳細な説明】
【技術分野】
【０００１】
本発明は、ズーム機能付きのカメラを用いて静止画や動画を撮影する際に、ズーム部が全体の中のどこに位置するかを簡易に知ることができるカメラ装置および記録フォーマットに関するものである。
【背景技術】
【０００２】
ズーム機能を有するスチルカメラやビデオカメラにおいて、高倍率のズームにより撮影をしている際には、撮影箇所（ズーム箇所）が全体の風景中のどの箇所に位置するからわかりづらいという課題がある。
【０００３】
特許文献１においては、１台のビデオカメラのカメラケースに、ズームレンズを備える第１カメラユニットと、広角レンズを備える第２カメラユニットとを収納し、第１カメラユニットで撮像したズーム画像と、第２カメラユニットで撮像した広角画像とを、１台のモニタに同時に表示させるビデオカメラが開示されている。
【０００４】
また特許文献２においては、ズームアップにより所望する任意のエリアを拡大するときに、映像全体のサイズが一定（ズームアップする前と同じに）になるようにその周辺エリアを縮小することで、空間的に連続した１枚の映像のなかでズームアップを行いながらも、広角な映像信号を得られるテレビジョンカメラ装置が開示されている。
【特許文献１】特開２０００−０７６４１４号公報
【特許文献２】特開２００１−３６０３３８号公報
【発明の開示】
【発明が解決しようとする課題】
【０００５】
特許文献１においては、１台のカメラの中に複数のカメラユニットが必要となり、装置が複雑になるという課題を有している。更には、ズーム画像が広角画像の中のどこに位置するかを知るためには、画像処理によって位置検出を行う必要が生じ、処理量の増大を招くという課題を有している。また特許文献２においては、周辺エリアの画像が大きく歪むため、ズーム箇所が全体の風景中のどの箇所に位置するかという点において、視認性が大きく低下するという課題を有している。
【０００６】
本発明は上記従来の課題を解決するものであり、１台のズーム機能付きカメラで、ズーム箇所が全体の風景中のどの箇所に位置するかを簡易な構成でユーザが知ることができる機能を提供するカメラ装置および記録フォーマットを提供することを目的とする。
【課題を解決するための手段】
【０００７】
この課題を解決するために、第１の発明は、撮像素子により取得した画像信号に信号処理を施し、第１の画像データを出力する信号処理手段と、前記第１の画像データに対する拡大率を指定する制御手段と、前記拡大率に応じて前記第１の画像データに対して拡大処理を施すことにより、第２の画像データを生成し出力する第１の画像処理手段と、前記第１の画像データと前記第２の画像データの少なくとも一方に対して画像処理を施して第３の画像データを生成し出力する第２の画像処理手段とを具備することを特徴とするカメラ装置である。
【発明の効果】
【０００８】
以上の様に、本発明のカメラ装置および記録フォーマットを用いることにより、１台のズーム機能付きカメラでズーム箇所が全体の風景中のどの箇所に位置するかを簡易な構成でユーザが知ることができ、その実用的価値が高い。
【発明を実施するための最良の形態】
【０００９】
以下、本発明の実施の形態について、図１から図６を用いて説明する。
【００１０】
（実施の形態１）
図１は本発明のカメラ装置を説明するためのブロック図である。本発明のカメラ装置１００は図１に示すように、レンズ部１０１、撮像素子部１０２、信号処理部１０３、メモリ部１０４、画像処理部Ａ１０５、初期設定記憶部１０６、画像処理部Ｂ１０７、表示部１０８、入力部Ａ１０９、入力部Ｂ１１０、入力部Ｃ１１１、制御部１１２、記録処理部１１３、記録媒体１１４により構成される。
【００１１】
図１において、被写体からの入射光はレンズ部１０１を通して撮像素子部１０２に入力される。撮像素子部１０２は、入射光を光電変換により映像信号に変換して信号処理部１０３に出力する。信号処理部１０３では、入力された映像信号に対して、増幅、Ａ−Ｄ変換、カラー信号補間・補正、ホワイトバランス補正、ガンマ補正等の信号処理を施す。信号処理部１０３で処理を施された映像信号は、メモリ部１０４に対して出力される。メモリ部１０４は、入力された映像信号を画像データとして一時記憶する。記憶された画像データは画像処理部Ａ１０５に対して出力する。ここで、カメラ装置１００により動画像を撮像する場合には、メモリ部１０４には画像データをフィールド単位またはフレーム単位で一時記憶し、記憶された画像データを１画面分毎（１フィールドまたは１フレーム）に画像処理部Ａ１０５に対して出力する。
【００１２】
画像処理部Ａ１０５は、制御部１１２から入力されるズーム倍率Ｚに応じて、画像データＩｍの中心部を拡大処理する。ここで制御部１１２から入力されるズーム倍率Ｚは入力部Ａ１０９を用いてユーザにより指定される。ここで入力部Ａ１０９は、スライダー、タッチパネル、ボタン、リモコン等のデバイスであり、そのデバイスをユーザが操作することによりズーム倍率を指定することができる。拡大処理された画像データ（拡大画像データ）ＺＩｍは、画像処理部Ｂ１０７と記録処理部１１３に対して出力される。
【００１３】
画像処理部Ｂ１０７には、メモリ部１０４から出力された画像データＩｍと、画像処理部Ａ１０５から出力された画像データＺＩｍとが入力される。画像処理部Ｂ１０７は、制御部１１２から入力される処理命令Ｐに応じて、画像Ｉｍ、画像ＺＩｍ、画像Ｉｍと画像ＺＩｍとを合成した画像、またはこれらの画像に画像処理を施した画像のいずれかを出力する。ここで制御部１１２から入力される処理命令Ｐは入力部Ｂ１１０を用いてユーザにより指定される。ここで入力部Ｂ１１０は、タッチパネル、ボタン、リモコン等のデバイスであり、そのデバイスをユーザが操作することにより切替動作を制御する。
【００１４】
画像処理部Ｂ１０７から出力された画像は表示部１０８において表示される。表示部１０８は映像表示デバイスであり、より具体的には、液晶、有機ＥＬ等のパネル型ディスプレイ、プロジェクタ、電子ペーパー、ヘッドマウントディスプレイ等である。
【００１５】
画像処理部Ｂ１０７での処理例について以降で述べる。
【００１６】
画像処理部Ｂ１０７での処理の第１の例においては、入力部Ｂ１１０からの入力を受けて、制御部１１２が処理命令Ｐとして画像Ｉｍを出力する命令を出す。画像処理部Ｂ１０７では、制御部１１２からの処理命令Ｐを受けて、メモリ部１０４から入力された画像データＩｍをそのまま出力する。すなわちこの場合、表示１０８には、入力部Ａ１０９により指定されたズーム倍率Ｚに応じて拡大された画像（ＺＩｍ）ではなく、風景全体を撮像した画像（Ｉｍ）が表示されることになる。また更には、画像処理部Ｂ１０７において、入力部Ａ１０９により指定されたズーム倍率Ｚに応じて拡大された画像（ＺＩｍ）が画像Ｉｍのどの部分を拡大しているかを示す情報を表示しても良い。例えばこの情報を表示する方法の一例として、画像ＺＩｍが画像Ｉｍのどの部分を拡大しているかを示す枠を表示する方法がある。この例を図２により説明する。図２（ａ）は画像Ｉｍを示し、図２（ｂ）は画像ＺＩｍを示す。図２（ｃ）は画像Ｉｍに対して枠を重畳した画像を示し、この枠は画像ＺＩｍが画像Ｉｍのどの部分を拡大しているかを示すものである。この枠は、画像処理部Ｂ１０７において制御部１１２から出力されたズーム倍率Ｚの値を参照して生成する。例えば、ズーム倍率Ｚが２倍（縦方向、横方向共に２倍）である場合には、画像Ｉｍの大きさに対して縦方向、横方向共に１／２の大きさを有し、かつ中心位置が画像Ｉｍの中心位置と同じである長方形が、表示すべき枠の形状および大きさとなる。このような画像を表示することによって、ユーザは、ズーム箇所が風景全体の中のどの箇所に位置するかを容易に知ることができる。
【００１７】
画像処理部Ｂ１０７での処理の第２の例においては、入力部Ｂ１１０からの入力を受けて、制御部１１２が処理命令Ｐとして画像ＺＩｍをそのまま出力する命令を出す。この場合には、図２（ｂ）のような画像が表示部１０８に表示されることになる。このような表示によって、ユーザはズーム画像の詳細を知ることができる。
【００１８】
画像処理部Ｂ１０７での処理の第３の例においては、入力部Ｂ１１０からの入力を受けて、制御部１１２が処理命令Ｐとして画像Ｉｍと画像ＺＩｍとを同時に出力する命令を出す。画像Ｉｍと画像ＺＩｍとを同時に出力する方法としては、画像Ｉｍと画像ＺＩｍを合成して出力する方法がある。図３（ａ）は合成の第１の例であり、画像Ｉｍが図２（ａ）、画像ＺＩｍが図２（ｂ）であるときに、画像Ｉｍを縮小した後に画像ＺＩｍに重畳した場合を示している。またこの場合には、図３（ｂ）に示すように、画像ＺＩｍが画像Ｉｍのどの部分を拡大しているかを示す枠を画像Ｉｍに重畳した画像の縮小画像を画像ＺＩｍに重畳しても良い。また図３（ｃ）に示すように、画像ＺＩｍを縮小した後に画像Ｉｍに重畳しても良い。更に表示部１０８が２画面表示可能な構成の場合には、図４（ａ）に示すように画像Ｉｍと画像ＺＩｍを並べて表示しても良い。また図４（ｂ）に示すように、画像ＺＩｍが画像Ｉｍのどの部分を拡大しているかを示す枠を画像Ｉｍに重畳した画像と画像ＺＩｍとを並べて表示しても良い。ここで２画面表示可能な構成としては、横長の表示領域を有している構成や、物理的に２つの表示領域を有している構成がある。このような表示方法を用いることにより、図２や図３の表示方法を採用する場合と比較して、広い表示領域を有する表示手段が必要となるが、全体画像とズーム画像の全体を一度に確認することができるため、視認性が向上する。
【００１９】
以上では画像処理部Ｂ１０７での処理方法について３つの例を挙げたが、カメラ装置としてはこのいずれかの方法を用いても良いし、複数の処理方法を実現する機能を有してそのうちの１つの方法を選択して使用しても良い。複数の処理方法を実現する機能を有する場合にどの方法を選択するかは、例えば初期設定記憶部１０６に記憶しておくことができる。
【００２０】
上記の実施の形態では、入力部Ｂ１１０からの入力を受けて制御部１１２が画像処理部Ｂ１０７で生成する画像を指定する場合について説明したが、入力部Ｂ１１０にユーザからの入力がある毎に、画像処理部Ｂ１０７で生成する画像を切り替える方法を用いることもできる。この場合、例えば入力部Ｂ１１０はボタン等のデバイスであり、ボタンを押すたびに画像処理部Ｂ１０７で生成する画像を切り替えることができる。この方法を図５により説明する。
【００２１】
図５（ａ）に示すフローチャートは、入力部Ｂ１１０に入力がある毎に、画像処理部Ｂ１０７で生成する画像を図２（ｂ）と図２（ｃ）とに切り替える場合を示している。このような処理を行うことにより、全体画像（Ｉｍ）とズーム画像（ＺＩｍ）を交互に見ることができ、更にズーム画像は全体画像のどの部分を拡大した画像であるかを知ることができるため、ズーム画像が全体画像のどこに位置するかを容易に判断することができる。
【００２２】
図５（ｂ）に示すフローチャートは、入力部Ｂ１１０に入力がある毎に、画像処理部Ｂ１０７で生成する画像を図２（ｂ）と図２（ａ）とに切り替える場合を示している。このような処理を行うことにより、全体画像（Ｉｍ）とズーム画像（ＺＩｍ）を交互に見ることができるため、ズーム画像が全体画像のどこに位置するかを判断しやすくなる。この場合には、ズーム画像が全体画像のどの部分を拡大した画像であるかを示す枠は全体画像には表示されていないため、ズーム画像が全体画像のどこに位置するかの認識性は図５（ａ）の処理を行う場合よりも若干低下するが、枠画像を重畳するための処理量を削減することができる。
【００２３】
図５（ｃ）に示すフローチャートは、入力部Ｂ１１０に入力がある毎に、画像処理部Ｂ１０７で生成する画像を図２（ｂ）と図３（ａ）（または図３（ｂ））とに切り替える場合を示している。このような処理を行うことにより、ズーム画像のみの表示と、ズーム画像中の一部に全体画像の縮小画像が重畳された画像の表示とを切り替えることができ、ズーム画像の詳細を見ながら、かつズーム画像が全体画像のどこに位置するかを容易に判断することができる。
【００２４】
図５（ｄ）に示すフローチャートは、入力部Ｂ１１０に入力がある毎に、画像処理部Ｂ１０７で生成する画像を図３（ａ）（または図３（ｂ））と図３（ｃ）とに切り替える場合を示している。このような処理を行うことにより、ズーム画像中の一部に全体画像の縮小画像が重畳された画像の表示と、全体画像中の一部にズーム画像の縮小画像が重畳された画像の表示とを切り替えることができ、全体画像の構造とズーム画像の詳細を見ながら、かつズーム画像が全体画像のどこに位置するかを容易に判断することができる。
【００２５】
記録処理部１１３では、制御部１１２から入力される記録制御命令Ｒに応じて、画像データを記録媒体１１４への記録に適したフォーマットに変換した後、記録媒体１１４への記録処理を行う。ここで制御部１１２から入力される記録制御命令Ｒは入力部Ｃ１１１を用いてユーザにより指定されるとする。ここで入力部Ｃ１１１は、タッチパネル、ボタン、リモコン等のデバイスであり、そのデバイスをユーザが操作することにより記録動作を制御することができる。また記録媒体１１４は、磁気記録媒体、半導体メモリ、光ディスク等である。記録される画像は、全体画像Ｉｍ、ズーム画像ＺＩｍ、処理画像ＰＩｍのいずれかの画像、またはこれらの中の複数の画像である。
【００２６】
記録制御命令Ｒが「全体画像Ｉｍを記録する」である場合には、メモリ部１０４から出力された全体画像Ｉｍを記録媒体１１４に記録する。記録制御命令Ｒが「ズーム画像ＺＩｍを記録する」である場合には、映像処理部Ａ１０５から出力されたズーム画像ＺＩｍを記録媒体１１４に記録する。記録制御命令Ｒが「処理画像ＰＩｍを記録する」である場合には、映像処理部Ｂ１０７から出力された処理画像ＰＩｍを記録媒体１１４に記録する。ここで処理画像ＰＩｍの内容は、画像処理部Ｂ１０７の動作で説明したように、入力部Ｂ１１０からの入力内容によって制御される。
【００２７】
また、記録制御命令Ｒが、「全体画像Ｉｍとズーム画像ＺＩｍを記録する」、「全体画像Ｉｍと処理画像ＰＩｍを記録する」、「ズーム画像ＺＩｍと処理画像ＰＩｍを記録する」、「全体画像Ｉｍとズーム画像ＺＩｍと処理画像ＰＩｍとを記録する」のように、複数の画像を記録する命令である場合には、それぞれの命令に応じた画像を記録媒体１１４に記録する。
【００２８】
このように複数の画像を同時に記録した場合には、それぞれの画像が関連した画像である（同時に撮影した画像である）ことを示す属性情報を記録媒体１１４に記録しても良い。これを図６により説明する。図６は、記録媒体１１４のアドレス空間を線形に示した模式図である。ここでは、全体画像Ｉｍとズーム画像ＺＩｍとを記録する場合について説明するが、他の組み合わせの場合でも同様である。
【００２９】
属性情報を記録する第１の方法を図６（ａ）により説明する。図６（ａ）に示すように、記録媒体１１４のアドレス空間は管理情報部６０１とデータ部６０２とに分割される。データ部６０２には画像データ等の実データが記録され、管理情報部６０１にはデータ部６０２に記録したデータに関連する属性情報等が記録される。全体画像Ｉｍとズーム画像ＺＩｍとは、データ部６０２に記録される。管理情報部６０１には、全体画像Ｉｍとズーム画像ＺＩｍに関する情報（例えば、それぞれの画像が記録されているアドレス等）が記録される。また更にそれとは別に、全体画像Ｉｍとズーム画像ＺＩｍとが関連を有する画像であることを示す情報を記録する。ここで、関連を有する画像であることを示す情報とは、これら全体画像Ｉｍとズーム画像ＺＩｍとについて、これらが同時に撮影した画像である、ズーム画像ＺＩｍは全体画像Ｉｍをズームして得られた画像である、ズーム画像ＺＩｍの全体画像Ｉｍに対するズーム倍率、これらは同じ風景を撮影した画像である、等であることを示す情報である。
【００３０】
属性情報を記録する第２の方法を図６（ｂ）により説明する。全体画像Ｉｍとズーム画像ＺＩｍとがデータ部６０２に記録され、全体画像Ｉｍとズーム画像ＺＩｍに関連する情報（例えば、それぞれの画像が記録されているアドレス等）が管理情報部６０４に記録されるのは、第１の例と同様である。第２の例においては、全体画像Ｉｍとズーム画像ＺＩｍとが関連を有する画像であることを示す情報を全体画像Ｉｍやズーム画像ＺＩｍのヘッダ部６１０、６１１に記録する。
【００３１】
このように関連情報を記録媒体に記録しておくことにより、後からこの記録媒体を再生する際に、どの画像データが関連性を持った画像であるかを知ることができる。例えば、ユーザがズーム画像ＺＩｍを記録媒体から再生した際に、関連情報からその全体画像が画像Ｉｍであることを知ることができるという効果を有する。よって、ユーザがズーム画像ＺＩｍの全体像を見たい場合には、関連情報を用いて画像Ｉｍを再生すれば良い。また、ズーム画像ＺＩｍと処理画像ＰＩｍとが記録媒体に記録されており、かつ処理画像ＰＩｍが図２（ｃ）に示すように全体画像Ｉｍにズーム箇所を示す枠画像が重畳されている画像であるような場合には、ユーザがズーム画像ＺＩｍを記録媒体から再生した際に、関連情報からその全体画像が画像ＰＩｍであることがわかり、関連情報を用いて画像ＰＩｍを再生することにより、ズーム画像ＺＩｍは画像ＰＩｍのどの箇所をズームした画像であるかを知ることができるという効果を有する。
【００３２】
また記録処理部１１３は、制御部１１２からの記録制御命令号Ｒが「記録しない」である場合には記録処理を行わない。
【００３３】
以上のように本発明のカメラ装置は、ズーム機能を有しているカメラ装置であり、ズーム画像とズーム前画像（全体画像）とを切り替えて表示したり、ズーム画像と全体画像とを同時に表示したり、ズーム画像が全体画像のどの領域に対応するかを表示したりする機能を有する。また、この表示方法をユーザからの指示により切り替えることもできる。また、本発明の記録フォーマットは、全体画像やズーム画像を同時に記録媒体に記録する際に用いる記録フォーマットであって、全体画像とズーム画像とが関連性を有する画像であることを示す情報を記録する。
【００３４】
このような動作により、ユーザがズーム機能を使用する際に、ズーム画像がズーム前の画像（全体画像）のどの位置をズームした画像であるかを簡易な構成で知ることができ、ユーザがズーム位置を知るためにズーム倍率を１倍に戻すなどの動作が不要となり、ユーザの負担を大きく軽減することが可能となる。また、ユーザがズーム画像を記録媒体から再生した際に、関連情報からその全体画像がどの画像であるかを知ることができ、さらにその関連情報を用いて全体画像を再生することができる。
【００３５】
なお、図１に示したブロック図の各機能ブロックは典型的には集積回路であるＬＳＩとして実現される。このＬＳＩは１チップ化されても良いし、複数チップ化されても良い。（例えばメモリ以外の機能ブロックが１チップ化されていても良い。）ここでは、ＬＳＩとしたが、集積度の違いにより、ＩＣ、システムＬＳＩ、スーパーＬＳＩ、ウルトラＬＳＩと呼称されることもある。
【００３６】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【００３７】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。 
【００３８】
また、図１に示したブロック図の各機能ブロックおよび図５に示したフローチャートは、その中心的部分をプロセサおよびプログラムによって実現される。
【００３９】
なお、本発明はかかる上記実施の形態に限定されるものではなく、本発明の範囲を逸脱することなく種々の変形または修正が可能である。
【産業上の利用可能性】
【００４０】
本発明にかかるカメラ装置および記録フォーマットは、ズーム機能付きのカメラを用いて静止画や動画を撮影する際に、ズーム部が全体の中のどこに位置するかを簡易に知ることができるという効果を有し、カメラ装置および記録フォーマットとして有用である。
【図面の簡単な説明】
【００４１】
【図１】本発明のカメラ装置の構成例を示すブロック図（実施の形態１）
【図２】本発明のカメラ装置の動作を説明するための模式図（実施の形態１）
【図３】本発明のカメラ装置の動作を説明するための模式図（実施の形態１）
【図４】本発明のカメラ装置の動作を説明するための模式図（実施の形態１）
【図５】本発明のカメラ装置の動作を説明するためのフローチャート（実施の形態１）
【図６】本発明の記録フォーマットを説明するための模式図（実施の形態１）
【符号の説明】
【００４２】
１００    カメラ装置
１０１    レンズ部
１０２    撮像素子部
１０３    信号処理部
１０４    メモリ部
１０５    画像処理部Ａ
１０６    初期設定記憶部
１０７    画像処理部Ｂ
１０８    表示部
１０９    入力部Ａ
１１０    入力部Ｂ
１１１    入力部Ｃ
１１２    制御部
１１３    記録処理部
１１４    記録媒体
【図１】
2007221295.tif 000003
【図２】
2007221295.tif 000004
【図３】
2007221295.tif 000005
【図４】
2007221295.tif 000006
【図５】
2007221295.tif 000007
【図６】
2007221295.tif 000008